(57)【要約】【課題】携帯電話端末のデバイス機能の設定管理を遠隔で制御する以前に、ユーザの意思確認のために電子タグを用いてメッセージ交換を行うことで利用シーンに応じた交渉の自動化を実現する。【解決手段】  携帯端末１が、タグＩＤと携帯端末装置が持つデバイス機能毎に用意されたデバイス管理ポリシーとを対応付けて管理するメッセージテーブル２０を参照し、検出したタグＩＤに相当するデバイス管理ポリシーを取得し、当該取得したデバイス管理ポリシーと、自身が保持する利用デバイス管理ポリシーとの比較を行って対応を決定し、当該比較結果に応じてデバイス機能の設定制御を行う。【選択図】      図１
2006139598.tif 000002
【特許請求の範囲】
【請求項１】
電子タグと電子タグリーダを備えた環境側送受信機と、携帯端末装置とから成り、あらかじめ複数用意されたタグＩＤのそれぞれにメッセージを割当て、前記環境側送受信機と携帯端末装置との間で前記携帯端末装置が持つデバイス機能の設定を行うデバイス機能設定管理システムであって、
前記タグＩＤと、前記携帯端末装置が持つデバイス機能毎に用意されたデバイス管理ポリシーとを対応付けて管理するメッセージテーブルを参照し、デバイス管理ポリシーをタグＩＤによって送信する環境側送受信機と、
前記環境側送受信機とはネットワークを介して接続され、前記環境側送受信機から当該ネットワークを介して送信されるタグＩＤを検出し、当該タグＩＤと前記デバイス管理ポリシーとを対応付けて管理するメッセージテーブルを参照して該当デバイス管理ポリシーを取得し、当該取得したデバイス管理ポリシーと自身の利用デバイス管理ポリシーとの比較を行ってデバイス機能の設定制御を行う携帯端末装置と、
を具備することを特徴とするデバイス機能設定管理システム。
【請求項２】
前記環境側送受信機は、前記携帯端末装置によって送信される前記比較結果を示すタグＩＤを受信し、前記ネットワークに接続されるデバイス機能管理装置による対応処理を起動することを特徴とする請求項１に記載のデバイス機能設定管理システム。
【請求項３】
電子タグと電子タグリーダを備えた環境側送受信機とはネットワークを介して接続され、あらかじめ複数用意されたタグＩＤのそれぞれにメッセージを割当て、前記環境側送受信機との間で自身が持つデバイス機能の設定を行うデバイス機能設定管理システムにおける携帯端末装置であって、
前記環境側送受信機から送信されるタグＩＤを検出するタグＩＤ検出部と、
前記タグＩＤと前記携帯端末装置が持つデバイス機能毎に用意されたデバイス管理ポリシーとを対応付けて管理するメッセージテーブルを参照し、該当デバイス管理ポリシーを取得するメッセージ取得部と、
前記取得したデバイス管理ポリシーと、保持する自身の利用デバイス管理ポリシーとの比較を行って対応を決定するデバイス管理ポリシー対応管理部と、
前記比較結果に応じてデバイス機能の設定制御を行うデバイス機能設定制御部と、
を具備することを特徴とする携帯端末装置。
【請求項４】
前記比較結果のメッセージに対応するタグＩＤを前記環境側送受信機へ送信し、前記ネットワークに接続されるデバイス機能設定管理装置に対して以降の対応処理を促すメッセージ送信部と、
を具備することを特徴とする請求項３に記載の携帯端末装置。
【請求項５】
電子タグと電子タグリーダを備えた環境側送受信機、および携帯端末装置から成り、あらかじめ複数用意されたタグＩＤのそれぞれにメッセージを割当て、前記環境側送受信機と携帯端末装置との間で前記携帯端末装置が持つデバイス機能の設定を行う電子タグを用いたデバイス機能設定管理方法であって、
前記環境側送受信機から送信されるタグＩＤを検出するステップと、
前記タグＩＤと前記携帯端末装置が持つデバイス機能毎に用意されたデバイス管理ポリシーとを対応付けて管理するメッセージテーブルを参照し、該当デバイス管理ポリシーを取得するステップと、
前記取得したデバイス管理ポリシーと、保持する自身の利用デバイス管理ポリシーとの比較を行って対応を決定し、前記比較結果に応じてデバイス機能の設定制御を行うステップと、
を有することを特徴とする電子タグを用いたデバイス機能設定管理方法。
【発明の詳細な説明】
【技術分野】
【０００１】
本発明は、利用シーンに応じて携帯端末装置が持つデバイス機能の設定を行う、デバイス機能設定管理システム、同システムにおける携帯端末装置、電子タグを用いたデバイス機能設定管理方法に関する。
【背景技術】
【０００２】
商品に貼付された電子タグのＩＤを携帯端末装置に搭載された電子タグリーダで読み取り、商品に関する情報を取得するシステムが知られている。また、携帯端末装置に電子タグ装着し、ある場所に設置された電子タグリーダに、携帯端末装置に装着された電子タグのＩＤが読み取られると、これを契機に、電子タグＩＤに対応した携帯端末装置に対して、ユーザのいる状況（時刻、場所など）に応じた電子メールが配送されるシステムも知られている。
更に、電子タグＩＤが電子タグリーダによって読み取られると、そのリーダ位置に対応した位置情報をシステムに送付して、携帯端末装置を持つユーザの位置を検出するシステムも提案されている。
【０００３】
一方、携帯電話端末の加入者管理を行うセンターが、携帯電話ネットワークを介し、サービス契約内容に応じて携帯電話端末のパラメータを遠隔から書き換える技術がある。具体的には、携帯電話端末の新規契約時、付加サービス契約時もしくは解約時等に、携帯電話端末が持つデバイス機能を遠隔からＯＮ／ＯＦＦする処理に特化している。すなわち、ユーザが事前に契約、あるいは解約の意思表示を行った後の、デバイス管理のための技術である（例えば、非特許文献１、２参照）。
【非特許文献１】「３ｇｐｐ２（３ｒｄ  ＧｅｎｅｒａｔｉｏｎＰａｒｔｎｅｒｓｈｉｉｐＰｒｏｊｅｃｔ）Ｎ．Ｓ００１１−０  Ｖ．１．０  ＯＡＴＳＰ  ＡＮＤ  ＯＴＡＰＡ」                    平成１６年１１月５日検索＜インターネットＵＲＬ＞ｈｔｔｐ：／／ｗｗｗ．３ｇｐｐ２．ｏｒｇ／Ｐｕｂｌｉｃ＿ｈｔｍｌ／ｓｐｅｃｓ／ｉｎｄｅｘ．ｃｆｍ
【非特許文献２】「ＩＥＩＣＥモバイルマルチメディア通信ＩＰＳＪモバイ                  ルコンピュータィングとユビキタス通信共催研究会＠沖縄」平成１６年１１月５日検索＜インターネットＵＲＬ＞ｈｔｔｐ：／／ｗｗｗ．ｉｅｉｃｅ．ｏｒｇ／ｍｏｍｕｃ／ｊｐｎ／ｐａｇｅｓ／ｍｏｍｕｃ＿０４０５／ｉｎｄｅｘ．ｈｔｍ
【発明の開示】
【発明が解決しようとする課題】
【０００４】
ところで、ユーザがデバイス利用に関する意思を示すケース以外に、携帯電話端末のデバイス機能をＯＮ／ＯＦＦするケースが存在する。このケースの場合、ユーザの意思を確認した後に、上記した非特許文献１、２に開示された技術を適用してデバイス管理を行う必要がある。
例えば、ビル管理者が機密漏洩対策として、カメラ付き携帯電話端末の持ち込みを禁止しているビルに、ユーザがカメラ付き携帯電話端末持参で立ち入るケースが該当する。このとき、ビル管理者の意向のみによって、カメラ機能を遠隔でＯＦＦすることはユーザの立場からして好ましくなく、また、ビル管理者が入管者毎に個別に対応することは労力を要する。このような状況を解決するために、携帯電話端末のデバイス機能の遠隔ＯＮ／ＯＦＦ管理に先立ち、ユーザとビル管理者間で交渉を行う必要がある。
【０００５】
本発明は上記事情に鑑みてなされたものであり、携帯電話端末が持つデバイス機能の設定管理を遠隔で制御する以前に、ユーザの意思確認のために電子タグを用いてメッセージ交換を行うことで利用シーンに応じた交渉の自動化を実現する、デバイス機能設定管理システム、同システムにおける携帯端末装置、電子タグを用いたデバイス機能設定管理方法を提供することを目的とする。
【課題を解決するための手段】
【０００６】
上記した課題を解決するために本発明は、電子タグと電子タグリーダを備えた環境側送受信機と携帯端末装置から成り、あらかじめ複数用意されたタグＩＤのそれぞれにメッセージを割当て、前記環境側送受信機と携帯端末装置との間で前記携帯端末装置が持つデバイス機能の設定を行うデバイス機能設定管理システムであって、前記タグＩＤと前記携帯端末装置が持つデバイス機能毎に用意されたデバイス管理ポリシーとを対応付けて管理するメッセージテーブルを参照し、デバイス管理ポリシーをタグＩＤによって送信する環境送受信装置と、前記環境側送受信機とはネットワークを介して接続され、当該ネットワークを介して送信されるタグＩＤを検出し、前記タグＩＤと前記デバイス管理ポリシーとを対応付けて管理するメッセージテーブルを参照して該当デバイス管理ポリシーを取得し、当該取得したデバイス管理ポリシーと自身の利用デバイス管理ポリシーとの比較を行ってデバイス機能の設定制御を行う携帯端末装置と、を具備することを特徴とする。
【０００７】
また、本発明において、前記環境側送受信機は、前記携帯端末装置によって送信される前記比較結果を示すタグＩＤを受信し、前記ネットワークに接続されるデバイス機能管理装置による対応処理を起動することを特徴とする。
【０００８】
また、本発明は、電子タグと電子タグリーダを備えた環境側送受信機とはネットワークを介して接続され、あらかじめ複数用意されたタグＩＤのそれぞれにメッセージを割当て、前記環境側送受信機との間で自身が持つデバイス機能の設定を行うデバイス機能設定管理システムにおける携帯端末装置であって、前記環境側送受信機から送信されるタグＩＤを検出するタグＩＤ検出部と、前記タグＩＤと前記携帯端末装置が持つデバイス機能毎に用意されたデバイス管理ポリシーとを対応付けて管理するメッセージテーブルを参照し、該当デバイス管理ポリシーを取得するメッセージ取得部と、前記取得したデバイス管理ポリシーと、保持する自身の利用デバイス管理ポリシーとの比較を行って対応を決定するデバイス管理ポリシー対応管理部と、前記比較結果に応じてデバイス機能の設定制御を行うデバイス機能設定制御部と、を具備することを特徴とする。
【０００９】
また、本発明において、前記比較結果のメッセージに対応するタグＩＤを前記環境側送受信機へ送信し、前記ネットワークに接続されるデバイス機能設定管理装置に対して以降の対応処理を促すメッセージ送信部と、を具備することを特徴とする。
【００１０】
また、本発明は、電子タグと電子タグリーダを備えた環境側送受信機、および携帯端末装置から成り、あらかじめ複数用意されたタグＩＤのそれぞれにメッセージを割当て、前記環境側送受信機と携帯端末装置との間で前記携帯端末装置が持つデバイス機能の設定を行う電子タグを用いたデバイス機能設定管理方法であって、前記環境側送受信機から送信されるタグＩＤを検出するステップと、
前記タグＩＤと前記携帯端末装置が持つデバイス機能毎に用意されたデバイス管理ポリシーとを対応付けて管理するメッセージテーブルを参照し、該当デバイス管理ポリシーを取得するステップと、前記取得したデバイス管理ポリシーと、保持する自身の利用デバイス管理ポリシーとの比較を行って対応を決定し、前記比較結果に応じてデバイス機能の設定制御を行うステップと、を有することを特徴とする。
【発明の効果】
【００１１】
本発明によれば、携帯端末装置が、タグＩＤと携帯端末装置が持つデバイス機能毎に用意されたデバイス管理ポリシーとを対応付けて管理するメッセージテーブルを参照し、検出したタグＩＤに相当するデバイス管理ポリシーを取得し、当該取得したデバイス管理ポリシーと、自身が保持する利用デバイス管理ポリシーとの比較を行って対応を決定し、当該比較結果に応じてデバイス機能の設定制御を行うことで、携帯電話端末のデバイス機能の設定管理を制御する以前にユーザの意思確認が可能となり、利用シーンに応じて携帯端末が持つデバイス機能の設定ができる。また、例えば、カメラ付き携帯電話端末の持ち込みを禁止しているビル管理者との間でのデバイス機能設定に関する交渉の自動化を実現できる。
【発明を実施するための最良の形態】
【００１２】
図１は、本発明実施形態に係るデバイス機能設定管理システムのシステム構成を示す図である。
ここでは、ユーザ側設備として、電子タグおよび電子タグリーダが装着されている携帯端末１が示されている。ここで発信するＩＤ情報、あるいは受信したＩＤ情報は、携帯端末１が持つアプリケーションから制御するものとする。なお、ＩＤとメッセージの対応関係を管理するメッセージテーブル２０は内蔵されているものとする。携帯端末１は、更に、後述するユーザのデバイス利用ポリシーを保持し、このデバイス利用ポリシーと、ビル管理者側から送信されるデバイス管理ポリシーと比較してデバイス機能の設定ＯＮ／ＯＦＦを決定し、その結果をビル管理者設備に通知するデバイス管理プログラム（デバイス管理機能２１）を内蔵している。
【００１３】
一方、ビル管理者側設備として、環境側送受信機２としての電子タグと電子タグリーダ、そして、デバイス機能設定装置としてのネットワークサーバ３が示されている。ここで、ネットワークサーバ３は、後述するデバイス管理ポリシーを携帯端末１に送信し、携帯端末１から返信されるデバイス制御結果に応じた対応を行うデバイス管理プログラム（デバイス管理機能３１）を内蔵している。
【００１４】
ここでは、携帯端末１が持つデバイス機能のＯＮ／ＯＦＦを遠隔で制御する以前に、携帯端末ユーザの意思を確認するために、電子タグを用いたメッセージ交換を行う。このため、電子タグの識別情報であるタグＩＤとメッセージを対応付けて管理するメッセージテーブル２０、３０を、携帯端末１、ビル管理者が環境に設置する環境側送受信機２にそれぞれ備えている。
【００１５】
上記構成において、携帯端末１および環境側送受信機２からタグＩＤを送信する。携帯端末１および環境側送受信機２のそれぞれが備える電子タグリーダが、付近から送信されてくるタグＩＤを検出すると、それぞれ、メッセージテーブル２０、３０を参照して、タグＩＤと対応するメッセージを取得する。取得したメッセージは、画面表示あるいは、アプリケーション等に用いられる。
メッセージテーブル２０、３０は、予め固有のテーブルを共有してもよく、あるいは、メッセージテーブル２０、３０を管理する図示せぬサーバから供給を受けてもよい。後者の場合は、必要に応じて任意のメッセージをサーバに登録してもよい。
【００１６】
図２は、図１に示す携帯端末の内部構成を機能展開して示したブロック図である。
携帯端末１は、タグＩＤ検出部１１と、メッセージ取得部１２と、デバイス管理ポリシー対応管理部１３と、デバイスポリシー１４と、デバイス機能設定制御部１５と、メッセージ送信部１６で構成される。
【００１７】
タグＩＤ検出部１１は、環境側送受信機２から送信されるタグＩＤを検出してメッセージ取得部１２へ供給する機能を持つ。また、メッセージ取得部１２は、タグＩＤと携帯端末１が持つデバイス機能毎に用意されたデバイス管理ポリシーとを対応付けて管理するメッセージテーブル２０を参照し、該当デバイス管理ポリシーを取得してデバイス管理ポリシー対応管理部１３へ供給する機能を持つ。デバイス管理ポリシー対応管理部１３は、取得したデバイス管理ポリシーと、保持する自身の利用デバイス管理ポリシー１４との比較を行って対応を決定する機能を持つ。
【００１８】
デバイス機能設定制御部１５は、デバイス管理ポリシー対応管理部１３における比較結果に応じてデバイス機能の設定制御を行う。また、メッセージ送信部１６は、デバイス管理ポリシー対応管理部１３が出力する比較結果のメッセージに対応するタグＩＤを環境側送受信機２へ送信し、インターネット４経由で接続されるネットワークサーバ３に対して以降の対応処理を促す機能を持つ。
なお、メッセージ送信部１６は、比較結果に基づく対応結果を返信するメッセージに対応したタグＩＤとして環境側送受信機２宛に送信するとき、シリアル番号等、一時的な端末識別ＩＤを生成し、それを含めて送信しても良い。この場合、以降の携帯端末１と環境側送受信機２の通信はこの端末識別ＩＤにより識別される。
【００１９】
図３は、環境側送受信機と携帯端末間のメッセージ交換の流れを示すシーケンス図であり、環境側送受信機２がメッセージを送信し、携帯端末１が受信する場合の流れを（Ａ）に、携帯端末１がメッセージを送信し、環境側送受信機２がメッセージを受信する場合の流れを（Ｂ）に示す。
【００２０】
（Ａ）において、環境側送受信機２は、ユーザの携帯端末１に対して、例えば、カメラ使用を禁止するデバイス管理ポリシーを表すメッセージに対応するタグＩＤを送信する（Ｓ３１）。ここで、デバイス管理ポリシーは、携帯端末１が持つデバイス機能毎に定義される。デバイス管理ポリシーとして他に録音機能の使用等がある。携帯端末１は、上記送信されるメッセージを受信した場合、当該メッセージＩＤに対してメッセージテーブル２０を参照して受信情報を解析し（Ｓ３２）、自身のデバイス利用ポリシーと比較して、デバイス管理ポリシーに対する対応を決定する。すなわち、カメラ機能の設定（ＯＮ／ＯＦＦ）を判断する（Ｓ３３）。デバイス利用ポリシーは、デバイス機能毎に定義されており、例えば、“従う”、“従わない”、“その都度判断する”が用意される。
ここで、携帯端末１は、比較結果に応じて、デバイス機能のＯＮ／ＯＦＦ制御を行う他に、その対応結果を、返信するメッセージに対応したタグＩＤとして、環境側送受信機２宛に送信する。この際に、携帯端末１は、一時的な端末識別ＩＤを生成して、それを含めて送信してもよい。このことにより、以降の携帯端末１と環境側送受信機２の通信は、端末識別ＩＤにより識別される。
【００２１】
（Ｂ）において、環境側送受信機２は、携帯端末１から送信されるメッセージに対応するタグＩＤを受信し（Ｓ３４）、当該タグＩＤに基づきメッセージテーブル３０を参照して受信情報（デバイス機能ＯＮ／ＯＦＦ）を解析する（Ｓ３６）。そして、その受信結果に応じた対応を実施する（Ｓ３７）。例えば、“警告”メッセージに対応するタグＩＤを携帯端末１宛に送信する、あるいは、ビル管理者が足を運び、口頭で交渉する等である。
なお、上記した各手順におけるメッセージの送受信は一往復である必要はなく、繰り返しメッセージが送受信されてもよい。
【００２２】
具体的に、ユーザとビル管理者間で携帯端末におけるデバイス機能管理のための交渉を行う手順が図４に示されている。
図４において、まず、ネットワークサーバ３は、環境側送受信機１を介してデバイス管理ポリシーとして“カメラ機能ＯＦＦ要求”に対応付するタグＩＤを送信する（Ｓ４１、Ｓ４２）。携帯端末１は、タグＩＤ検出部１１が当該タグＩＤを検出し、メッセージ取得部１２がメッセージテーブル２０を参照することにより受信内容を解析する。そしてデバイス管理ポリシー対応管理部１３で、受信したタグＩＤが示す内容と、自身で保持するデバイス利用ホリシーとを比較する。なお、デバイス利用ポリシーの例として、“従う”、“従わない”、“通知して任せる”があることは上記したとおりである。ここで、“通知して判断を任せる”が選択された場合、ユーザに通知し、“従う”、“従わない”の判断をユーザに委ねる。
【００２３】
ここで、デバイス管理ポリシーとデバイス利用ポリシーが合致したものとし、このとき、デバイス管理ポリシー対応管理部１３は、デバイス機能設定制御部１５を起動して携帯端末１が持つカメラ機能の設定をＯＦＦする（Ｓ４３）。また、メッセージ送信部１６により、デバイス管理ポリシー対応決定制御部１３による判断結果を、ビル管理者宛、メッセージに対応付けたタグＩＤを送信する。ここでは、カメラ機能をＯＦＦした旨、環境送受信機２経由でネットワークサーバ３（デバイス管理機能３１）へ伝える（Ｓ４４、Ｓ４５）。
ビル管理者は、携帯端末１からの返信に応じて以後の対応を行う。具体的に、ネットワークサーバ３は、環境側送受信機２を介して返信する（Ｓ４６、Ｓ４７）。
【００２４】
ビル管理者のデバイス管理ポリシーがユーザに受け入れられなかった場合の交渉を行う手順が図５に示されている。
すなわち、ビル管理者側のデバイス管理ポリシーと、ユーザ側のデバイス利用ポリシーが合致せず、この場合、カメラ機能ＯＮを選択する（Ｓ５３）。ここでもメッセージ送信部１６により、デバイス管理ポリシー対応決定制御部１３による判断結果を、ビル管理者宛、メッセージに対応付けたタグＩＤにより送信する。ここでは、カメラ機能をＯＦＦしない旨、環境送受信機２経由でネットワークサーバ３へ伝える（Ｓ５４、Ｓ５５）。ここで、ネットワークサーバ３が、環境側送受信機２を介して携帯端末１に対して返信メッセージを送信するか（Ｓ５６、Ｓ５７）、警告メッセージに対応するタグＩＤを送信するか、あるいは、足を運んで口頭で交渉することを促す等、ビル管理者に通知する等の処置が考えられる（Ｓ５８）。以降はユーザとの直接対話による。
【００２５】
以上説明のように本発明は、携帯端末１が、タグＩＤと携帯端末装置が持つデバイス機能毎に用意されたデバイス管理ポリシーとを対応付けて管理するメッセージテーブル２０を参照し、検出したタグＩＤに相当するデバイス管理ポリシーを取得し、当該取得したデバイス管理ポリシーと、自身が保持する利用デバイス管理ポリシーとの比較を行って対応を決定し、当該比較結果に応じてデバイス機能の設定制御を行うものである。このことにより、携帯端末が持つデバイス機能を制限したい、例えばビル等の管理者は、ネットワークサーバ３が携帯端末１のデバイス機能の設定管理を制御する以前にユーザの意思確認が可能となり、利用シーンに応じて携帯端末が持つデバイス機能の設定が可能になる。また、例えば、カメラ付き携帯電話端末の持ち込みを禁止しているビル管理者との間で交渉の自動化を実現できる。
【図面の簡単な説明】
【００２６】
【図１】本発明実施形態に係るデバイス機能設定管理システムのシステム構成を示す図である。
【図２】図１に示す携帯端末の内部構成を機能展開して示したブロック図である。
【図３】環境側送受信機と携帯端末間のメッセージ交換の流れを示すシーケンス図である。
【図４】ユーザとビル管理者間でデバイス機能管理を行うための交渉手順を示す図である。
【図５】ユーザとビル管理者間でデバイス機能管理を行うための交渉手順を示す図である。
【符号の説明】
【００２７】
１…携帯端末、２…環境側送受信機、３…ネットワークサーバ、４…インターネット、１０、２０、３０…メッセージテーブル、２１、３１…デバイス管理機能、１１…タグＩＤ検出部、１２…メッセージ取得部、１３…デバイス管理ポリシー対応管理部、１４…デバイス利用ポリシー、１５…デバイス機能設定制御部、１６…メッセージ送信部
【図１】
2006139598.tif 000003
【図２】
2006139598.tif 000004
【図３】
2006139598.tif 000005
【図４】
2006139598.tif 000006
【図５】
2006139598.tif 000007